(57)【要約】【課題】  蛇口からの吐出量を絞ってシャワー状または霧状にオゾン水を吐出させるようにした場合でも、オゾン含有ガス供給装置に供給水が逆流して浸水することがないオゾン水供給装置を提供すること。【解決手段】  給水管３に接続された蛇口５から供給水を吐出する。組成ガスとしてオゾンを含むオゾン含有ガスをオゾン含有ガス供給装置９で生成する。オゾン含有ガスをガス供給管１７を介して給水管３に供給し、オゾン含有ガスを供給水に混合してなるオゾン水を蛇口５から吐出可能とする。ガス供給管１７に感圧弁１９を配設する。給水管３を供給水が単位時間当たり予め設定された所定の下限流量以上流れているとき、オゾン含有ガス供給装置９を作動させる。感圧弁１９より上流側のガス供給管１７内の圧力が、感圧弁１７より下流側のガス供給管１７内の圧力より所定の圧力分だけ越えると感圧弁１９が開弁してガス供給管１７から給水管３へオゾン含有ガスが流入する。【選択図】図１
2010162483.tif 000002
【特許請求の範囲】
【請求項１】
給水通路を介して供給された供給水を前記給水通路に接続された蛇口から吐出する一方、オゾン含有ガス供給装置で生成され組成ガスとしてオゾンを含むオゾン含有ガスを供給するガス供給通路を、前記給水通路を供給水が流れる経路から見て前記蛇口より上流側の前記給水通路の中途部に接続して前記オゾン含有ガスを供給水に混合してなるオゾン水を前記蛇口から吐出可能としたオゾン水供給装置において、
前記給水通路を供給水が単位時間当たり予め設定された所定の下限流量以上流れているとき、前記オゾン含有ガス供給装置を作動させて前記ガス供給通路を介してオゾン含有ガスを供給し、
前記ガス供給通路に感圧弁を配設し、
前記ガス供給通路を前記オゾン含有ガスが流れる経路から見て前記感圧弁より上流側の前記ガス供給通路の圧力が、前記感圧弁より下流側の前記ガス供給通路の圧力より所定の圧力分だけ越えると開弁する一方、越えないと閉弁して前記ガス供給通路から前記給水通路への前記オゾン含有ガスの流入を許容または遮断するように前記感圧弁を構成したことを特徴とするオゾン水供給装置。
【請求項２】
請求項１に記載のオゾン水供給装置において、
前記ガス供給通路を前記オゾン含有ガスが流れる経路から見て前記感圧弁より上流側の前記ガス供給通路の中途部に大気側と連通する排気通路を接続し、
前記排気通路と大気側との連通を開閉する開閉弁を前記排気通路に配設し、
前記給水通路を流れる供給水の流量が前記所定の下限流量より少なくなったとき、前記開閉弁を開弁するようにしたことを特徴とするオゾン水供給装置。
【請求項３】
請求項２に記載のオゾン水供給装置において、
前記給水通路を供給水が前記所定の下限流量以上流れているか否かを検出する流量検出手段と、
前記流量検出手段によって検出された検出信号を受信する制御装置とを備え、
前記給水通路を供給水が前記所定の下限流量以上流れていると前記流量検出手段により検出されたとき、前記制御装置により前記オゾン含有ガス供給装置を作動させる一方、
前記給水通路を流れる供給水の流量が前記所定の下限流量より少なくなったと前記流量検出手段により検出されたとき、前記制御装置により、前記オゾン含有ガス供給装置の作動を停止させると共に前記開閉弁を開弁するようにしたことを特徴とするオゾン水供給装置。
【請求項４】
請求項３に記載のオゾン水供給装置において、
前記オゾン含有ガス供給装置は、酸素ガスを原料として前記オゾン含有ガスを生成するように構成され、
前記制御装置により前記開閉弁が開弁されたとき、前記制御装置により、前記酸素ガスを所定の時間だけ前記ガス供給通路および排気通路を介して大気側に排出するようにしたことを特徴とするオゾン水供給装置。
【請求項５】
請求項１ないし請求項４のうち何れか一つに記載のオゾン水供給装置において、
前記ガス供給通路を接続した前記給水通路の部位に、供給水が流入してその流入の勢いにより供給水に渦流を発生させる渦流発生部を設け、
前記渦流発生部に前記ガス供給通路を接続したことを特徴とするオゾン水供給装置。
【請求項６】
請求項１ないし請求項５のうち何れか一つに記載のオゾン水供給装置において、
前記ガス供給通路に前記オゾン含有ガス供給装置が複数並列に接続され、
前記複数のオゾン含有ガス供給装置のうち同時に作動させるオゾン含有ガス供給装置の個数を、前記給水通路を流れる供給水の水量が多くなるにつれて増加させるようにし、
前記給水通路を流れる供給水の流量が前記所定の下限流量より少なくなったとき、全てのオゾン含有ガス供給装置の作動を停止させるようにしたことを特徴とするオゾン水供給装置。
【発明の詳細な説明】
【技術分野】
【０００１】
本発明は、オゾン水供給装置に関し、特に、組成ガスとしてオゾンを含むオゾン含有ガスを水道水等の供給水に混合してなるオゾン水を蛇口から吐出可能とするオゾン水供給装置に関するものである。
【背景技術】
【０００２】
特許文献１に示されている従来のオゾン水供給装置は、オゾン発生部からのオゾンガスを、電磁弁を介して供給される水道水に溶解させオゾン水を得るものであり、オゾン溶解部の吐出口は自動水栓の蛇口に通じている。また、蛇口の近傍に設けた手洗感知センサーの感知信号によりオゾン発生部を作動させると共に電磁弁を開弁状態にして蛇口からオゾン水を吐出させるようにしている。
【先行技術文献】
【特許文献】
【０００３】
【特許文献１】特開２００３−５２５５６号公報
【発明の概要】
【発明が解決しようとする課題】
【０００４】
しかしながら、従来のオゾン水供給装置は、水道水の流れる経路から見て、水道水の供給を遮断または許容する電磁弁と水道水を吐出する蛇口との間の通水路にオゾン発生部からのオゾンガスを供給するようにしていた。このため、もし、蛇口からの吐出量を絞ってシャワー状または霧状にオゾン水を吐出させようとすると、電磁弁と蛇口との間の通水路の水圧が高くなり、オゾン発生部に水道水が逆流して浸水し、その結果、オゾン発生部が正常に機能しなくなる虞があった。
【０００５】
本発明はこのような問題を解消するためになされたもので、蛇口からの吐出量を絞ってシャワー状または霧状にオゾン水を吐出させるようにした場合でも、オゾン含有ガス供給装置に供給水が逆流して浸水することがないオゾン水供給装置を提供することを目的とする。
【課題を解決するための手段】
【０００６】
この目的を達成するために、本発明に係るオゾン水供給装置は、給水通路を介して供給された供給水を前記給水通路に接続された蛇口から吐出する一方、オゾン含有ガス供給装置で生成され組成ガスとしてオゾンを含むオゾン含有ガスを供給するガス供給通路を、前記給水通路を供給水が流れる経路から見て前記蛇口より上流側の前記給水通路の中途部に接続して前記オゾン含有ガスを供給水に混合してなるオゾン水を前記蛇口から吐出可能としたオゾン水供給装置において、前記給水通路を供給水が単位時間当たり予め設定された所定の下限流量以上流れているとき、前記オゾン含有ガス供給装置を作動させて前記ガス供給通路を介してオゾン含有ガスを供給し、前記ガス供給通路に感圧弁を配設し、前記ガス供給通路を前記オゾン含有ガスが流れる経路から見て前記感圧弁より上流側の前記ガス供給通路の圧力が、前記感圧弁より下流側の前記ガス供給通路の圧力より所定の圧力分だけ越えると開弁する一方、越えないと閉弁して前記ガス供給通路から前記給水通路への前記オゾン含有ガスの流入を許容または遮断するように前記感圧弁を構成したものである。
【０００７】
請求項２に記載した発明に係るオゾン水供給装置は、請求項１に記載のオゾン水供給装置において、前記ガス供給通路を前記オゾン含有ガスが流れる経路から見て前記感圧弁より上流側の前記ガス供給通路の中途部に大気側と連通する排気通路を接続し、前記排気通路と大気側との連通を開閉する開閉弁を前記排気通路に配設し、前記給水通路を流れる供給水の流量が前記所定の下限流量より少なくなったとき、前記開閉弁を開弁するようにしたことを特徴とするものである。
【０００８】
請求項３に記載した発明に係るオゾン水供給装置は、請求項２に記載のオゾン水供給装置において、前記給水通路を供給水が前記所定の下限流量以上流れているか否かを検出する流量検出手段と、前記流量検出手段によって検出された検出信号を受信する制御装置とを備え、前記給水通路を供給水が前記所定の下限流量以上流れていると前記流量検出手段により検出されたとき、前記制御装置により前記オゾン含有ガス供給装置を作動させる一方、前記給水通路を流れる供給水の流量が前記所定の下限流量より少なくなったと前記流量検出手段により検出されたとき、前記制御装置により、前記オゾン含有ガス供給装置の作動を停止させると共に前記開閉弁を開弁するようにしたことを特徴とするものである。
【０００９】
請求項４に記載した発明に係るオゾン水供給装置は、請求項３に記載のオゾン水供給装置において、前記オゾン含有ガス供給装置は、酸素ガスを原料として前記オゾン含有ガスを生成するように構成され、前記制御装置により前記開閉弁が開弁されたとき、前記制御装置により、前記酸素ガスを所定の時間だけ前記ガス供給通路および排気通路を介して大気側に排出するようにしたことを特徴とするものである。
【００１０】
請求項５に記載した発明に係るオゾン水供給装置は、請求項１ないし請求項４のうち何れか一つに記載のオゾン水供給装置において、前記ガス供給通路を接続した前記給水通路の部位に、供給水が流入してその流入の勢いにより供給水に渦流を発生させる渦流発生部を設け、前記渦流発生部に前記ガス供給通路を接続したことを特徴とするものである。
【００１１】
請求項６に記載した発明に係るオゾン水供給装置は、請求項１ないし請求項５のうち何れか一つに記載のオゾン水供給装置において、前記ガス供給通路に前記オゾン含有ガス供給装置が複数並列に接続され、前記複数のオゾン含有ガス供給装置のうち同時に作動させるオゾン含有ガス供給装置の個数を、前記給水通路を流れる供給水の水量が多くなるにつれて増加させるようにし、前記給水通路を流れる供給水の流量が前記所定の下限流量より少なくなったとき、全てのオゾン含有ガス供給装置の作動を停止させるようにしたことを特徴とするものである。
【発明の効果】
【００１２】
請求項１記載の発明によれば、感圧弁より上流側のガス供給通路の圧力が、感圧弁より下流側のガス供給通路の圧力より所定の圧力分だけ越えると開弁する一方、越えないと閉弁する感圧弁をガス供給通路に配設したので、蛇口からの吐出量を絞ってシャワー状または霧状にオゾン水を吐出させたとしても、感圧弁より上流側のガス供給通路の圧力が感圧弁より下流側のガス供給通路の圧力より所定の圧力分だけ越えないと感圧弁は開弁しないため、オゾン含有ガス供給装置に供給水が逆流して浸水することはない。この結果、供給水の逆流による浸水によりオゾン含有ガス供給装置の機能が損なわれることがない。
【００１３】
請求項２記載の発明によれば、感圧弁より上流側のガス供給通路の中途部に大気側と連通する排気通路を接続し、給水通路を流れる供給水の流量が所定の下限流量より少なくなったとき、排気通路に設けられた開閉弁を開弁してガス供給通路と大気側とを排気通路を介して連通するようにしたので、蛇口からオゾン水を吐出していないときなどは開閉弁が開弁され、感圧弁より上流側のガス供給通路の圧力を感圧弁より下流側のガス供給通路の圧力より十分低下させることができるため、ガス供給通路における感圧弁より上流側と下流側との圧力差が減少することによる感圧弁の閉弁不良が生じることがない。
【００１４】
請求項３記載の発明によれば、給水通路を供給水が所定の下限流量以上流れていると流量検出手段により検出されたとき、制御装置によりオゾン含有ガス供給装置を作動させる一方、給水通路を流れる供給水の流量が所定の下限流量より少なくなったと流量検出手段により検出されたとき、制御装置により、オゾン含有ガス供給装置の作動を停止させると共に開閉弁を開弁するようにしたので、蛇口からオゾン水を吐出させたり止水したりするだけでオゾン含有ガス供給装置や開閉弁を作動させることができるため、これらの物に対して特別な手作業を行なうことなくオゾン水供給装置を作動させることができる。
【００１５】
請求項４記載の発明によれば、開閉弁が開弁されたとき、制御装置により酸素ガスを所定の時間だけガス供給通路および排気通路を介して大気側に排出するようにしたので、ガス供給通路や排気通路に残留していたオゾン含有ガスが酸素ガスと共に大気側に排気され、ガス供給通路や排気通路を構成する部材がオゾン含有ガス中のオゾンの酸化力によって劣化または腐食するのが防止される。
【００１６】
請求項５記載の発明によれば、ガス供給通路を接続した給水通路の部位に、供給水が流入してその流入の勢いにより供給水に渦流を発生させる渦流発生部を設け、該渦流発生部にガス供給通路を接続したので、オゾン含有ガスと供給水とが渦流発生部で渦流によって攪拌されるのでその攪拌が十分に行われ、オゾン含有ガスを供給水に分散して均一に溶解させることができる。
【００１７】
請求項６記載の発明によれば、ガス供給通路にオゾン含有ガス供給装置を複数並列に接続し、複数のオゾン含有ガス供給装置のうち同時に作動させるオゾン含有ガス供給装置の個数を、給水通路を流れる供給水の水量が多くなるにつれて増加させるようにしたので、オゾン含有ガス供給装置を１個だけまたは複数個同時に作動させるときは、各オゾン含有ガス供給装置からそれぞれ略同程度の高濃度のオゾンを含有するオゾン含有ガスを生成させるようにすると共に、同時に作動させるオゾン含有ガス供給装置の個数を供給水の水量が多くなるにつれて増加させることで、給水通路を流れる供給水の水量に拘わらず常に、供給水と混合させ易い高濃度でオゾン含有ガスを供給水と混合させることができる。これにより、給水通路を流れる供給水の水量に拘わらず、オゾンの濃度が安定した状態で高濃度のオゾン水を供給することができる。
【図面の簡単な説明】
【００１８】
【図１】図１は本発明の実施の形態に係るオゾン水供給装置の概略の構成を示す模式図である。
【図２】図２は図１の二点鎖線の矩形枠Ａで囲んだ部分で破断した状態を拡大して示した断面図である。
【図３】図３は図２の矢視Ｘ−Ｘ線に沿う断面図である。
【図４】図４は図１の二点鎖線の矩形枠Ｂで囲んだ部分で破断した状態を拡大して示した断面図である。
【図５】図５は図１の二点鎖線の矩形枠Ｃで囲んだ部分で破断した状態を拡大して示した断面図である。
【図６】図６は制御装置の構成を示すブロック図である。
【図７】図７は制御装置の動作を示すフローチャートである。
【図８】図８は、本発明の第２の実施の形態に係るオゾン水供給装置の概略の構成を示す模式図である。
【図９】図９は本発明の第２の実施の形態に係るオゾン水供給装置の制御装置の構成を示すブロック図である。
【図１０】図１０は本発明の第２の実施の形態に係る制御装置の動作を示すフローチャートである。
【発明を実施するための形態】
【００１９】
（第１の実施の形態）
以下、本発明に係るオゾン水供給装置の第１の実施の形態を図１ないし図７によって詳細に説明する。なお、図１については、作図の都合上、それぞれの構成部材の縮尺の比率は互いに異ならせて図示している。
【００２０】
図１において符号１で示すものは、食品工場，飲食店の厨房，医薬製造工場，病院および便所などにおいて、各種の機器，器具，設備や人間の身体などを殺菌したり洗浄したりするためのオゾン水を供給するオゾン水供給装置を示している。このオゾン水供給装置１は、水道水，井戸水または河川水等の供給水を供給する給水管３と、供給水の流れる経路から見て給水管３の下流端部に配設された蛇口５と、給水管３の中途部に配設されたステンレス製の攪拌器７と、攪拌器７にオゾン含有ガスを供給するオゾン含有ガス供給装置９と、各種の制御を行う制御装置１１とを備えている。給水管３内は本発明の「給水通路」を構成する。制御装置１１は、図６に示すように、それぞれ後述するスイッチ判定部７１，酸素ガス用の電磁弁制御部７２，ガス供給制御部７３，排気用の電磁弁制御部７４および計時制御部７５を備えている。
なお、本実施の形態では、供給水として水道水を使用した例について説明する。
【００２１】
給水管３内を水道水の流れる経路から見て攪拌器７より上流側３ａと下流側３ｂとの給水管３の中途部には給水管３より細い迂回管１３が接続され、迂回管１３の中途部には水流検出スイッチ１５が配設されている。水流検出スイッチ１５は本発明の「流量検出手段」を構成する。水流検出スイッチ１５によって、迂回管１３内を供給水が流れているか否か、延いては給水管３内を水道水が流れているか否かが検出される。オゾン含有ガス供給装置９は、ガス供給管１７を介して攪拌器７に接続されており、該ガス供給管１７の中途部には感圧弁１９が配設されている。前記ガス供給管１７内および接続具３７内は本発明の「ガス供給通路」を構成する。
【００２２】
ガス供給管１７内をオゾン含有ガスが流れる経路から見て感圧弁１９より上流側１７ａのガス供給管１７の中途部に大気側と連通する排気管２１の一端部が接続され、排気管２１の他端部は大気側に開放されている。排気管２１内は本発明の「排気通路」を構成する。そして、排気管２１と大気側との連通を開閉する排気用の電磁弁２３が排気管２１の中途部に配設されている。排気用の電磁弁２３は本発明の「開閉弁」を構成する。前記給水管３，蛇口５，攪拌器７，ガス供給管１７，感圧弁１９，排気管２１および電磁弁２３等で少なくともオゾン含有ガスが通過する部分は、オゾンガスの酸化力により劣化または腐食しにくい樹脂製またはステンレス製の部材で構成されている。
【００２３】
オゾン含有ガス供給装置９には、酸素ガスが収容された酸素ボンベ２５が酸素ガス供給管２７を介して接続され、酸素ボンベ２５内の酸素ガスがオゾン含有ガス供給装置９に導入され、酸素ガス供給管２７の中途部には酸素ガスの流通を開閉する酸素ガス用の電磁弁２９が配設されている。オゾン含有ガス供給装置９の内部で放電管による無声放電によってオゾンが発生し、酸素に対してオゾンが所定の割合で混合されてオゾン含有ガスが生成される。オゾン含有ガスとしては、例えば、容積比でオゾンが１パーセントないし１０パーセントで残りが酸素からなるガスをあげることができる。
オゾン含有ガス供給装置９と、排気用の電磁弁２３と、酸素ガス用の電磁弁２９とは、それらを作動させるための電源を供給する電線３０ａ，３０ｂ，３０ｃを介して制御装置１１にそれぞれ電気的に接続されている。また、前記水流検出スイッチ１５は電線３０ｄを介して制御装置１１に電気的に接続されている。
【００２４】
前記攪拌器７は、図２および図３に示すように、水道水が流れる経路から見て給水管３における攪拌器７より上流側３ａと下流側３ｂとにそれぞれテーパ螺子の螺合構造により接続された上流側給水管接続部３１および下流側給水管接続部３３と、これらの接続部３１，３３を繋ぐ中間部３５と、オゾン含有ガス供給装置９からオゾン含有ガスを供給するためのガス供給管１７が接続具３７を介して螺合構造により接続されたガス供給管接続部３９とから構成されている。前記中間部３５の内部には、圧送された水道水が流入してその流入の勢いにより渦流を発生させる渦流発生部３５ａを備え、この渦流発生部３５ａは略渦巻状の空間からなる。下流側給水管接続部３３の内部には、中間部３５側から下流側給水管接続部３３側に向かうにしたがって拡径された略円錐台状の空間からなる排水口４１が形成されている。而して、中間部３５の渦流発生部３５ａに流入した水道水が渦流を発生したのち排水口４１から、給水管３における攪拌器７より下流側３ｂ内に排出される。
【００２５】
また、渦流発生部３５ａで発生した渦流の渦の中心を通る仮想軸芯Ｌに略沿って前記排水口４１が形成されており、水道水が流れる経路から見て排水口４１の上流部にはこの排水口４１の横断面積が最も縮小された絞り部４１ａが形成され、排水口４１の下流部には最も拡径された大径部４１ｂが形成されている。
【００２６】
また、前記水流検出スイッチ１５は、図４に示すように、水道水が流れる経路から見て迂回管１３における水流検出スイッチ１５より上流側１３ａと下流側１３ｂとにそれぞれ接続された上流側迂回管接続部４３および下流側迂回管接続部４５と、これらの接続部４３，４５間に位置するスイッチ本体部４７とを備える。前記接続部４３，４５およびスイッチ本体部４７は樹脂により一体成形されており、スイッチ本体部４７の内部には、スイッチ本体部４７を構成する枠体に固定された回動軸４９に回動自在に軸支された回動子５１が配設されている。回動子５１は、樹脂製の部材からなり、断面形状が略へ字状に形成され、図４において回動軸４９を中心に左回り方向に回動するようにトーションばね（図示せず）により常に付勢されている。
【００２７】
回動子５１の回動軸４９とは反対側の端部には、導電性の部材からなる可動端子５１ａがその一面部（図４では右側の部分）が外部に露出した状態で大部分が埋設されている。スイッチ本体部４７内には、スイッチ本体部４７内の空間を二つの区画室４７ａ，４７ｂに区画する区画壁５３が固定され、該区画壁５３の中央部には二つの区画室４７ａ，４７ｂを連通する開口部５３ａが形成されている。該区画壁５３は樹脂製の部材からなり、その一側には、導電性の部材からなる一対の固定端子５５，５５が互いに一定の間隔を隔てて埋設されている。一対の固定端子５５，５５は、それぞれの一面部（図４では左側の部分）が外部に露出した状態でそれぞれの大部分が区画壁５３に埋設されている一方、それぞれの他面部には電線３０ｄの一端部が区画壁５３に埋設された状態で電気的に接続されている。電線３０ｄの他端部側は、スイッチ本体部４７の枠体を貫通して外部に延設され制御装置１１に電気的に接続されている（図１を参照）。
【００２８】
水道水が迂回管１３内を流れないときは、図４において回動軸４９を中心に左回り方向に回動子５１が回動して区画壁５３の端面に当接し区画壁５３の開口部５３ａを閉じており、このときは、それぞれ外部に露出した可動端子５１ａの一面部と一対の固定端子５５，５５の一面部とが接触して可動端子５１ａを介して一対の固定端子５５，５５間が電気的に導通している。一方、水道水が迂回管１３内を流れるときは、迂回管１３における水流検出スイッチ１５より上流側１３ａ内から上流側迂回管接続部４３内を経て区画室４７ａに流入した水道水の水圧が開口部５３ａを介して回動子５１の一面側に付与され、回動子５１の他面側に付与されている区画室４７ｂ側の水圧と回動子５１を常に付勢している前記トーションばねによるバネ力とに抗して、図４において回動軸４９を中心に右回り方向に回動子５１が回動して区画壁５３の開口部５３ａを開き、可動端子５１ａと一対の固定端子５５，５５とが離間して一対の固定端子５５，５５間の電気的な導通が遮断される。このように電気的に遮断される場合は、給水管３内を水道水が単位時間当たり予め設定された所定の下限流量以上流れているときである。前記所定の下限流量は、本発明の「所定の下限流量」に相当し、その値としては０（ゼロ）より大きい所定の値が設定されている。
以上述べたような一対の固定端子５５，５５間の電気的な導通または遮断は、電線３０ｄを介して制御装置１１によって検出される。
【００２９】
また、感圧弁１９は、図５に示すように、オゾン含有ガスが流れる経路から見てガス供給管１７における感圧弁１９より上流側１７ａと下流側１７ｂとにそれぞれ接続された上流側ガス供給管接続部５７および下流側ガス供給管接続部５９と、これらの接続部５７，５９間に位置する感圧弁本体部６１とを備える。感圧弁本体部６１の内部には、半球状の部分と段付き円柱状の部分とが合成された形状からなる弁体６３が配設されている。感圧弁本体部６１内には、感圧弁本体部６１内の空間を二つの区画室６１ａ，６１ｂに区画する区画壁６５が固定され、該区画壁６５の中央部には二つの区画室６１ａ，６１ｂを連通する開口部６５ａが形成されている。
【００３０】
開口部６５ａの開口面は、略円錐台状の空間を区画するように形成され、かつ、弁体６３の半球状の部分（図５において上側の部分）が当接する弁座面として機能するように形成されている。区画室６１ｂには、略円錐台形状の螺旋状に巻かれたコイルばね６７が配設されており、該コイルばね６７の小径側の部分が弁体６３の段付き円柱状の小径部分に嵌め込まれ、コイルばね６７の大径側の部分が感圧弁本体部６１内に固定された環状のばね受け部材６９によって支持されている。これによって、前記段付き円柱状の段部の端面とばね受け部材６９の端面との間にコイルばね６７は圧縮された状態で介装されている。この結果、弁体６３の半球状の部分が開口部６５ａの開口面に当接するように、弁体６３はコイルばね６７によって常に付勢されている。
【００３１】
ガス供給管１７を介してオゾン含有ガス供給装置９からオゾン含有ガスが供給されないときは、弁体６３の半球状の部分が開口部６５ａの開口面に当接して区画壁６５の開口部６５ａが弁体６３によって閉鎖される。一方、ガス供給管１７を介してオゾン含有ガス供給装置９からオゾン含有ガスが供給されるときは、ガス供給管１７から上流側ガス供給管接続部５７内を経て区画室６１ａに流入したオゾン含有ガスの圧力が開口部６５ａを介して弁体６３の半球状の端面に付与される。
【００３２】
このとき、区画室６１ａのオゾン含有ガスの圧力が次第に上昇して、区画室６１ｂに存在する水道水の水圧とコイルばね６７の付勢力とで弁体６３が押圧される押圧力に比べて、区画室６１ａのオゾン含有ガスの圧力により弁体６３が押圧される押圧力の方が大きくなると、コイルばね６７が圧縮方向に撓んで弁体６３が開口部６５ａの開口面から離間する。これによって、ガス供給管１７を介してオゾン含有ガス供給装置９から区画室６１ａに供給されたオゾン含有ガスが、区画室６１ｂに流入したのちガス供給管１７における感圧弁１９より下流側１７ｂを介して攪拌器７内に流入する。
【００３３】
而して、感圧弁１９は、ガス供給管１７における感圧弁１９より上流側１７ａ内の圧力が、ガス供給管１７における感圧弁１９より下流側１７ｂ内の圧力よりさらに、感圧弁１９のコイルばね６７による付勢力に相当する所定の圧力分だけ高いと開弁してガス供給管１７における感圧弁１９より下流側１７ｂを介して攪拌器７および給水管３へのオゾン含有ガスの流入を許容する一方、ガス供給管１７における感圧弁１９より上流側１７ａ内の圧力が、ガス供給管１７における感圧弁１９より下流側１７ｂ内の圧力と前記所定の圧力分とを合算した圧力値より低下すると閉弁して給水管３へのオゾン含有ガスの流入を遮断する。前記所定の圧力分は本発明の「所定の圧力分」に相当する。
【００３４】
感圧弁１９のコイルばね６７のばね荷重は、比較的小さな値に設定されているので、例えば、蛇口５が閉じられて給水管３内を水道水が流れていないときの給水管３内の水圧を約０．４ＭＰａ（メガパスカル）とし、蛇口５が開かれて給水管３内を水道水が流れているときの給水管３内の水圧を約０．１ＭＰａ（メガパスカル）以下とすると、オゾン含有ガス供給装置９は、ガス供給管１７における感圧弁１９より上流側１７ａ内の圧力を最大で約１ＭＰａ（メガパスカル）まで上昇させる供給能力を有するものを使用すれば足りる。
【００３５】
次に、上述したオゾン水供給装置１の作動について、前記制御装置１１の動作を交え図７に示すフローチャートに沿って説明する。
まず、図７に示すフローチャートのステップＰ１に示すように、水流検出スイッチ１５の一対の固定端子５５，５５間の電気的な導通状態が図６に示す制御装置１１のスイッチ判定部７１によって判定される。蛇口５が開かれて水道水が給水管３内を流れると、水流検出スイッチ１５の回動子５１が回動して可動端子５１ａと一対の固定端子５５，５５とが離間して一対の固定端子５５，５５間の電気的な導通が遮断され、この電気的な遮断が、電線３０ｄを介して制御装置１１によって検出され、ステップＰ２に移行する。蛇口５が閉ざされたままで水道水が給水管３内を流れていないときは、ステップＰ１が繰り返され、スイッチ判定部７１による判定が繰り返し行われる。
【００３６】
ステップＰ２において、図６に示す酸素ガス用の電磁弁制御部７２により酸素ガス用の電磁弁２９が開弁されたのち、ステップＰ３において、図６に示すガス供給制御部７３によりオゾン含有ガス供給装置９が作動させられる。ガス供給管１７を介してオゾン含有ガス供給装置９からオゾン含有ガスが感圧弁１９内に流入し、その区画室６１ａのオゾン含有ガスの圧力が次第に上昇してオゾン含有ガスが区画室６１ｂに流入したのち攪拌器７内に流入する。攪拌器７内に流入したオゾン含有ガスと攪拌器７内に勢いよく流入した水道水とは、攪拌器７内で混合しながらその流入の勢いにより渦流を発生したのちオゾン水となって排水口４１から排出される。
【００３７】
オゾン含有ガスと水道水とが攪拌器７内で渦流によって攪拌されるのでその攪拌が十分に行われ、渦流の流速が最も早い渦の中心部からオゾン含有ガスと水道水とが排水口４１の絞り部４１ａを通過する際に圧力が急激に変化し乱流が発生するため、この圧力の急激な変化や乱流で水道水に溶解しているオゾン含有ガスが微細化され、オゾン含有ガスが水道水に分散して均一に溶解する。このようにして、生成されたオゾン水が、給水管３における攪拌器７より下流側３ｂを経由して蛇口５から排出される。このオゾン水には、水が１リットルに対してオゾンが約０．４ｍｇ（ミリグラム）以上含有しているのが、洗浄や殺菌を行う上で望ましく、通常は、水が１リットルに対してオゾンがおよそ１ｍｇ（ミリグラム）ないし２ｍｇ（ミリグラム）の割合で含有した高濃度のオゾン水とされている。
【００３８】
蛇口５が閉じられて給水管３内に水道水が流れなくなると、水道水が迂回管１３内も流れなくなり、水流検出スイッチ１５の可動端子５１ａと一対の固定端子５５，５５とが接触して一対の固定端子５５，５５間が可動端子５１ａを介して電気的に導通し、この電気的な導通がスイッチ判定部７１によって判定され（ステップＰ４）、ステップＰ５に移行してガス供給制御部７３によりオゾン含有ガス供給装置９の作動が停止させられる。このとき、蛇口５が閉じられてから短時間以内に再び蛇口５が開かれたときは、蛇口５と攪拌器７との間の給水管３内に高濃度のオゾン水が残留したままになっているので、該オゾン水が蛇口５から直ちに吐出する。
一方、蛇口５が開かれたままで水道水が給水管３内を流れているときは、ステップＰ４が繰り返され、スイッチ判定部７１による判定が繰り返し行われる。
【００３９】
ステップＰ５に続いてステップＰ６に移行し、図６に示す排気用の電磁弁制御部７４により電磁弁２３が開弁され、排気管２１が大気側と連通する。これによって、ガス供給管１７における感圧弁１９より上流側１７ａ内の圧力が、ガス供給管１７における感圧弁１９より下流側１７ｂ内の水道水の水圧よりかなり低下するので、この水道水の水圧により感圧弁１９の弁体６３が開口部６５ａの開口面に強く当接させられ、開口部６５ａが弁体６３によって確実に閉鎖される。
【００４０】
また、排気管２１が大気側と連通しているので、酸素ボンベ２５から供給される酸素ガスが酸素ガス供給管２７とオゾン含有ガス供給装置９とガス供給管１７の一部とを、これらの順に経由して排気管２１から大気側に排気される。この結果、酸素ガスが通過したオゾン含有ガス供給装置９，ガス供給管１７および排気管２１のそれぞれの内部に残留していたオゾン含有ガスが酸素ガスによって大気側に排気され、ガス供給管１７における感圧弁１９より上流側１７ａとオゾン含有ガス供給装置９とがオゾン含有ガス中のオゾンの酸化力によって劣化または腐食するのが防止される。
【００４１】
ステップＰ６において排気用の電磁弁２３が開弁されたのち、ステップＰ７に移行して、図６に示す計時制御部７５による時間Ｔの計測が開始される。次に、ステップＰ８において時間Ｔが、予め設定された設定時間Ｔ０以上経過したか否かが計時制御部７５で判定され、設定時間Ｔ０以上経過していない場合はステップＰ９に移行して水流検出スイッチ１５の電気的な導通状態がスイッチ判定部７１によって判定される。前記設定時間Ｔ０は、本発明の「所定の時間」に相当する。水流検出スイッチ１５が電気的に導通しているとスイッチ判定部７１によって判定された場合は、ステップＰ８に戻って、計測中の時間Ｔが設定時間Ｔ０以上経過したか否かが計時制御部７５で判定される。
【００４２】
ステップＰ８において、設定時間Ｔ０以上経過したと計時制御部７５により判定された場合はステップＰ１０に移行して酸素ガス用の電磁弁２９が電磁弁制御部７２により閉弁される。次に、ステップＰ１１に移行して排気用の電磁弁２３が電磁弁制御部７４により閉弁されたのち、ステップＰ１２に移行して計時制御部７５による時間Ｔの計測が停止され計時制御部７５の時間Ｔが０（ゼロ）にリセットされる。そして再びステップＰ１に戻って水流検出スイッチ１５の電気的な導通状態がスイッチ判定部７１によって判定される。なお、ステップＰ１１における排気用の電磁弁２３の閉弁は、このステップＰ１１のタイミングではなく、ステップＰ１に戻った後の次のステップＰ２の直前または直後のタイミングで行ってもよい。
【００４３】
一方、ステップＰ９において、水流検出スイッチ１５が電気的に遮断しているとスイッチ判定部７１によって判定された場合は、ステップＰ１３に移行して排気用の電磁弁２３が電磁弁制御部７４により閉弁されたのち、ステップＰ１４に移行してガス供給制御部７３によりオゾン含有ガス供給装置９が作動させられ、続いてステップＰ１５に移行して計時制御部７５による時間Ｔの計測が停止され計時制御部７５の時間Ｔが０（ゼロ）にリセットされる。そして再びステップＰ４に戻って水流検出スイッチ１５の電気的な導通状態がスイッチ判定部７１によって判定される。
【００４４】
上述したようなオゾン水供給装置１によれば、ガス供給管１７における感圧弁１９より上流側１７ａ内の圧力が、ガス供給管１７における感圧弁１９より下流側１７ｂ内の水道水の水圧より所定の圧力分だけ越えると開弁する一方、越えないと閉弁する感圧弁１９をガス供給管１７に配設したので、蛇口５からの吐出量を絞ってシャワー状または霧状にオゾン水を吐出させたとしても、感圧弁１９より上流側のガス供給管１７内における圧力が、感圧弁１９より下流側のガス供給管１７内の水道水の水圧より所定の圧力分だけ越えないと感圧弁１９は開弁しないため、オゾン含有ガス供給装置９に水道水が逆流して浸水することはない。この結果、水道水の逆流による浸水によりオゾン含有ガス供給装置９の機能が損なわれることがない。
【００４５】
また、この実施の形態によるオゾン水供給装置１によれば、ガス供給管１７における感圧弁１９より上流側１７ａの中途部に大気側と連通する排気管２１を接続し、給水管３内を流れる水道水の流量が所定の下限流量より少なくなったとき、排気管２１に設けられた電磁弁２３を開弁してガス供給管１７内と大気側とを排気管２１を介して連通するようにしたので、蛇口５からオゾン水を吐出していないときなどは電磁弁２３が開弁され、ガス供給管１７における感圧弁１９より上流側１７ａ内の圧力を下流側１７ｂ内の圧力より十分低下させることができるため、ガス供給管１７における感圧弁１９より上流側１７ａ内と下流側１７ｂ内との圧力差が減少することによる感圧弁１９の閉弁不良が生じることがない。
【００４６】
また、この実施の形態によるオゾン水供給装置１によれば、給水管３内を水道水が所定の下限流量以上流れていると水流検出スイッチ１５により検出されたとき、制御装置１１によりオゾン含有ガス供給装置９を作動させる一方、給水管３内を流れる水道水の流量が所定の下限流量より少なくなったと水流検出スイッチ１５により検出されたとき、制御装置１１によりオゾン含有ガス供給装置９の作動を停止させると共に電磁弁２３を開弁するようにしたので、蛇口５からオゾン水を吐出させたり止水したりするだけでオゾン含有ガス供給装置９や電磁弁２３を作動させることができるため、これらの物に対して特別な手作業を行なうことなくオゾン水供給装置１を作動させることができる。
【００４７】
また、この実施の形態によるオゾン水供給装置１によれば、電磁弁２３が開弁されたとき、制御装置１１により電磁弁２９の開閉動作を制御することで酸素ガスを設定時間Ｔ０だけ排気管２１を介して大気側に排出するようにしたので、オゾン含有ガス供給装置９，ガス供給管１７および排気管２１などの内部に残留していたオゾン含有ガスが酸素ガスと共に大気側に排気され、オゾン含有ガス供給装置９，ガス供給管１７および排気管２１などがオゾン含有ガス中のオゾンガスの酸化力によって劣化または腐食するのが防止される。
【００４８】
さらにまた、この実施の形態によるオゾン水供給装置１によれば、ガス供給管１７を接続した給水管３の部位に、水道水が流入してその流入の勢いにより水道水に渦流を発生させる攪拌器７を設け、該攪拌器７にガス供給管１７を接続したので、オゾン含有ガスと水道水とが攪拌器７の渦流発生部３５ａで渦流によって攪拌されるのでその攪拌が十分に行われ、オゾン含有ガスを水道水に分散して均一に溶解させることができる。
【００４９】
（第２の実施の形態）
次に、本発明に係るオゾン水供給装置の第２の実施の形態を図８ないし図１０によって詳細に説明する。なお、図８および図９において、前記第１の実施の形態で説明したものと同一または同等の部材や概念については、同一符号を付し詳細な説明は省略する。また、図８については、作図の都合上、それぞれの構成部材の縮尺の比率は互いに異ならせて図示している。
【００５０】
上述した第１の実施の形態におけるオゾン水供給装置では、蛇口およびオゾン含有ガス供給装置が1個ずつ配設された例を示したが、本実施の形態におけるオゾン水供給装置１０では、図８に示すように６個の蛇口５、３個のオゾン含有ガス供給装置９ａ，９ｂ，９ｃ、３個の感圧弁１９ａ，１９ｂ，１９ｃおよび３個の酸素ガス用の電磁弁２９ａ，２９ｂ，２９ｃがそれぞれ配設された例を示している。これらのものは、上述した第１の実施の形態における蛇口５，オゾン含有ガス供給装置９，感圧弁１９および電磁弁２９と同一または同等の構造によりそれぞれ構成されている。
【００５１】
なお、本実施の形態では、説明の便宜上、３個のオゾン含有ガス供給装置については第一オゾン含有ガス供給装置９ａ，第二オゾン含有ガス供給装置９ｂ，第三オゾン含有ガス供給装置９ｃと表記し、３個の感圧弁については第一感圧弁１９ａ，第二感圧弁１９ｂ，第三感圧弁１９ｃと表記し、３個の酸素ガス用の電磁弁については第一電磁弁２９ａ，第二電磁弁２９ｂ，第三電磁弁２９ｃと表記する。
【００５２】
また、本実施の形態でも、供給水として水道水を使用した例について説明する。
給水管３内を水道水の流れる経路から見て攪拌器７より上流側の給水管３の中途部には流量センサ７７が配設されている。流量センサ７７は本発明の「流量検出手段」を構成する。流量センサ７７によって、給水管３内を流れる水道水の水量が検出される。
各オゾン含有ガス供給装置９ａ，９ｂ，９ｃは、ガス供給管１７が３本に分岐した端部のそれぞれに接続され、これらの３本に分岐したガス供給管１７が集合した端部に攪拌器７が接続されており、ガス供給管１７の分岐した部分の中途部には各感圧弁１９ａ，１９ｂ，１９ｃがそれぞれ配設されている。また、ガス供給管１７の分岐した部分のそれぞれの中途部（各オゾン含有ガス供給装置９ａ，９ｂ，９ｃと各感圧弁１９ａ，１９ｂ，１９ｃとの間）には排気管２１が接続されており、排気管２１の中途部には排気用の電磁弁２３が配設されている。
【００５３】
各オゾン含有ガス供給装置９ａ，９ｂ，９ｃには、酸素ガス供給管２７が３本に分岐した端部のそれぞれが接続され、酸素ガス供給管２７の分岐した部分のそれぞれの中途部には各電磁弁２９ａ，２９ｂ，２９ｃがそれぞれ配設されている。
各オゾン含有ガス供給装置９ａ，９ｂ，９ｃと排気用の電磁弁２３と酸素ガス用の電磁弁２９ａ，２９ｂ，２９ｃとは、電線３０ａ，３０ｂ，３０ｃを介して制御装置１１０にそれぞれ電気的に接続されている。また、流量センサ７７は電線３０ｄを介して制御装置１１０に電気的に接続されている。制御装置１１０は、図９に示すように、それぞれ後述する酸素ガス用の電磁弁制御部７２，ガス供給制御部７３，排気用の電磁弁制御部７４，計時制御部７５および流量判定部７９を備えている。
【００５４】
次に、上述したオゾン水供給装置１０の作動について、前記制御装置１１０の動作を交え図１０に示すフローチャートに沿って説明する。
まず、図１０に示すフローチャートのステップＳ１に示すように、流量センサ７７によって検出された給水管３内を流れる水道水の単位時間当たりの流量Ｑが、予め設定された第一設定流量Ｑ０以上か否かが流量判定部７９によって判定される。第一設定流量Ｑ０は、本発明の「所定の下限流量」に相当し、その値としては０（ゼロ）より大きい所定の値（例えば、６個の蛇口５のうち少なくとも何れか1個の蛇口５が、ある程度開かれたときに水道水が給水管３内を流れる水量）が設定されている。流量判定部７９によって前記流量Ｑが第一設定流量Ｑ０以上であると判定されるとステップＳ２に移行し、流量Ｑが、第一設定流量Ｑ０より多い値として予め設定された第二設定流量Ｑ１以下か否かがさらに流量判定部７９によって判定される。
【００５５】
例えば、６個の蛇口５のうち何れかの１個または２個の蛇口５しか開かれていないため、ステップＳ２において、流量Ｑが第二設定流量Ｑ１以下であると判定されるとステップＳ３に移行し、図９に示す酸素ガス用の電磁弁制御部７２によって第一電磁弁２９ａのみが開弁され、第二電磁弁２９ｂおよび第三電磁弁２９ｃは閉弁したままとされる。その後、ステップＳ４に移行し、ガス供給制御部７３によって第一オゾン含有ガス供給装置９ａのみが作動させられ、第二オゾン含有ガス供給装置９ｂおよび第三オゾン含有ガス供給装置９ｃの作動は停止したままとされる。
【００５６】
一方、例えば、６個の蛇口５のうち何れかの３個または４個の蛇口５が開かれた結果、ステップＳ２において、流量Ｑが第二設定流量Ｑ１以下でない、すなわち第二設定流量Ｑ１より多いと判定されると、ステップＳ５に移行し、流量Ｑが、第二設定流量Ｑ１より多い値として予め設定された第三設定流量Ｑ２以下か否かがさらに流量判定部７９によって判定される。
【００５７】
ステップＳ５において、流量Ｑが第三設定流量Ｑ２以下であると判定されるとステップＳ６に移行し、酸素ガス用の電磁弁制御部７２によって第一電磁弁２９ａに加えて第二電磁弁２９ｂも開弁され、第三電磁弁２９ｃは閉弁したままとされる。その後、ステップＳ７に移行し、ガス供給制御部７３によって第一オゾン含有ガス供給装置９ａに加えて第二オゾン含有ガス供給装置９ｂも作動させられ、第三オゾン含有ガス供給装置９ｃの作動は停止したままとされる。
【００５８】
一方、例えば、６個の蛇口５のうち何れかの５個または６個全ての蛇口５が開かれた結果、ステップＳ５において、流量Ｑが第三設定流量Ｑ２以下でない、すなわち第三設定流量Ｑ２より多いと判定されると、ステップＳ８に移行し、酸素ガス用の電磁弁制御部７２によって第一電磁弁２９ａおよび第二電磁弁２９ｂに加えて第三電磁弁２９ｃも開弁される。その後、ステップＳ９に移行し、ガス供給制御部７３によって第一オゾン含有ガス供給装置９ａおよび第二オゾン含有ガス供給装置９ｂに加えて第三オゾン含有ガス供給装置９ｃも作動させられる。
【００５９】
前記ステップＳ４，ステップＳ７またはステップＳ９を実行したのち、ステップＳ１０に移行し、流量Ｑが第一設定流量Ｑ０より少ないか否かが流量判定部７９によって判定される。例えば、６個の蛇口５の全てが閉じられると、給水管３内を水道水が流れなくなり、流量Ｑが第一設定流量Ｑ０より少ないと判定される。ステップＳ１０において、流量Ｑが第一設定流量Ｑ０より少なくないと判定されると、前記ステップＳ２に戻って流量Ｑが第二設定流量Ｑ１以下か否かが流量判定部７９によって判定される。
【００６０】
一方、ステップＳ１０において、流量Ｑが第一設定流量Ｑ０より少ないと判定されると、ステップＳ１１に移行し、ガス供給制御部７３によって全てのオゾン含有ガス供給装置９ａ，９ｂ，９ｃの作動が停止される。続いて、ステップＳ１２に移行して排気用の電磁弁２３が電磁弁制御部７４によって開弁される。これによって、前記第１の実施の形態と同様に、水道水の水圧により各感圧弁１９ａ，１９ｂ，１９ｃが確実に閉鎖されると共に各オゾン含有ガス供給装置９ａ，９ｂ，９ｃとガス供給管１７における各感圧弁１９ａ，１９ｂ，１９ｃより上流側１７ａと排気管２１とがオゾン含有ガス中のオゾンの酸化力によって劣化または腐食するのが防止される。
ステップＳ１２に続いてステップＳ１３に移行し、図９に示す計時制御部７５によって時間Ｔの計測が開始され、ステップＳ１４において時間Ｔが予め設定された設定時間Ｔ０以上経過したか否かが計時制御部７５によって判定される。
【００６１】
ステップＳ１４において、設定時間Ｔ０以上経過していない場合はステップＳ１５に移行して、流量Ｑが第一設定流量Ｑ０以上か否かが流量判定部７９によって判判定される。流量Ｑが第一設定流量Ｑ０以上でない、すなわち第一設定流量Ｑ０より少ないと流量判定部７９によって判定された場合は、ステップＳ１４に戻って、計測中の時間Ｔが設定時間Ｔ０以上経過したか否かが計時制御部７５によって判定される。
【００６２】
ステップＳ１４において、時間Ｔが設定時間Ｔ０以上経過したと判定された場合はステップＳ１６に移行して、酸素ガス用の各電磁弁２９ａ，２９ｂ，２９ｃの全てが電磁弁制御部７２によって閉弁される。次に、ステップＳ１７に移行して排気用の電磁弁２３が電磁弁制御部７４により閉弁されたのち、ステップＳ１８に移行して計時制御部７５による時間Ｔの計測が停止され計時制御部７５の時間Ｔが０（ゼロ）にリセットされる。そして再びステップＳ１に戻って、流量Ｑが第一設定流量Ｑ０以上か否かが流量判定部７９によって判定される。なお、ステップＳ１７における排気用の電磁弁２３の閉弁は、このステップＳ１７のタイミングではなく、ステップＳ１に戻った後に行われる各ステップＳ３，Ｓ６，Ｓ８の直前または直後のそれぞれのタイミングで行ってもよい。
【００６３】
一方、ステップＳ１５において、流量Ｑが第一設定流量Ｑ０以上であると流量判定部７９によって判定された場合は、ステップＳ１９に移行して排気用の電磁弁２３が電磁弁制御部７４により閉弁されたのち、ステップＳ２０に移行して計時制御部７５による時間Ｔの計測が停止され計時制御部７５の時間Ｔが０（ゼロ）にリセットされる。そして再びステップＳ２に戻って流量Ｑが第二設定流量Ｑ１以下か否かが流量判定部７９によって判定される。
【００６４】
以上説明したように、第２の実施の形態に係るオゾン水供給装置１０によれば、３個のオゾン含有ガス供給装置９ａ，９ｂ，９ｃをガス供給管１７に並列に接続し、３個のオゾン含有ガス供給装置９ａ，９ｂ，９ｃのうち同時に作動させるオゾン含有ガス供給装置の個数を、流量センサ７７により検出された水道水の水量が多くなるにつれて増加させるようにしたので、オゾン含有ガス供給装置を１個だけまたは２個もしくは３個を同時に作動させるときは、各オゾン含有ガス供給装置９ａ，９ｂ，９ｃからそれぞれ略同程度の高濃度のオゾンを含有するオゾン含有ガスを生成させるようにすると共に、同時に作動させるオゾン含有ガス供給装置の個数を水道水の水量が多くなるにつれて増加させることで、給水管３内を流れる水道水の水量に拘わらず常に、水道水と混合させ易い高濃度でオゾン含有ガスを水道水と混合させることができる。これにより、水が１リットルに対してオゾンが１ｍｇ（ミリグラム）ないし２ｍｇ（ミリグラム）の割合で含有した高濃度のオゾン水を、給水管３内を流れる水道水の水量に拘わらず、オゾンの濃度が安定した状態で供給することができる。
【００６５】
なお、上述した各実施の形態は本発明を説明するための一例であり、本発明は、前記の各実施の形態に限定されるものではなく、特許請求の範囲と明細書との全体から読み取れる発明の要旨または思想に反しない範囲で適宜変更可能であり、そのような変更後のオゾン水供給装置もまた、本発明の技術的範囲に含まれるものである。
【００６６】
例えば、上述した第１の実施の形態においては、水流検出スイッチ１５によって、迂回管１３内を水道水が流れているか否かを検出する例を示したが、これに代えて、迂回管１３および水流検出スイッチ１５を廃止して、給水管３の中途部に水流検出スイッチまたは流量センサを配設し、これらの検出スイッチまたは流量センサによる検出信号に基づいて給水管３内を水道水が流れているか否かを検出するようにしてもよい。
【００６７】
また、上述した第２の実施の形態においては、６個の蛇口５、３個のオゾン含有ガス供給装置９ａ，９ｂ，９ｃ、３個の感圧弁１９ａ，１９ｂ，１９ｃおよび３個の酸素ガス用の電磁弁２９ａ，２９ｂ，２９ｃがそれぞれ配設された例を示したが、これらの個数は、必要とされるオゾン水の最大水量に応じて適宜変更することができる。
【００６８】
また、上述した各実施の形態においては、蛇口５は手動によって開閉する例を示したが、これに代えて、蛇口５の近傍に感知センサを配設して人間の手が近付くと感知センサが感知することで電磁弁を開弁してオゾン水を吐出させるようにしてもよい。
【００６９】
また、上述した各実施の形態においては、制御装置１１や制御装置１１０の構成を理解し易くするためにそれらの構成をスイッチ判定部７１，酸素ガス用の電磁弁制御部７２，ガス供給制御部７３，排気用の電磁弁制御部７４，計時制御部７５，流量判定部７９に区分けして説明した。しかし、制御装置１１や制御装置１１０を電子回路によって構成する場合は、このような区分けがなされた構成に代えて、制御装置１１や制御装置１１０の構成要素となる回路の一部が他の構成要素となる回路に含まれる（共有される）ように構成して、制御装置を前記制御装置１１や制御装置１１０と同等の機能を有する物に置換してもよい。
【００７０】
さらにまた、上述した各実施の形態のオゾン水供給装置においては、酸素ボンベ２５の酸素ガスを各オゾン含有ガス供給装置９，９ａ，９ｂ，９ｃに導入してオゾンを発生させる例を示したが、これに代えて、大気中の酸素ガスを各オゾン含有ガス供給装置９，９ａ，９ｂ，９ｃに導入してオゾンを発生させるようにしてもよい。
【符号の説明】
【００７１】
１      オゾン水供給装置
３      給水管（給水通路）
５      蛇口
９      オゾン含有ガス供給装置
９ａ      第一オゾン含有ガス供給装置（オゾン含有ガス供給装置）
９ｂ      第二オゾン含有ガス供給装置（オゾン含有ガス供給装置）
９ｃ      第三オゾン含有ガス供給装置（オゾン含有ガス供給装置）
１０      オゾン水供給装置
１１      制御装置
１５      水流検出スイッチ（流量検出手段）
１７      ガス供給管（ガス供給通路）
１９      感圧弁
１９ａ      第一感圧弁（感圧弁）
１９ｂ      第二感圧弁（感圧弁）
１９ｃ      第三感圧弁（感圧弁）
２１      排気管（排気通路）
２３      電磁弁（開閉弁）
７７      流量センサ（流量検出手段）
１１０      制御装置
【図１】
2010162483.tif 000003
【図２】
2010162483.tif 000004
【図３】
2010162483.tif 000005
【図４】
2010162483.tif 000006
【図５】
2010162483.tif 000007
【図６】
2010162483.tif 000008
【図７】
2010162483.tif 000009
【図８】
2010162483.tif 000010
【図９】
2010162483.tif 000011
【図１０】
2010162483.tif 000012